(57)【要約】【課題】通常時にはその全高を低く抑えつつ、ディスク再生時にはディスクの収納に必要な高さを確保できるナビゲーション装置を提供すること。【解決手段】筐体内の裏面にディスクメディアを垂直に立設した状態で支持するターンテーブルを具備したディスク装置を備え、該ディスク装置は前記筐体の裏面の下端部に回動自在に固定された蓋体によって覆われており、蓋体は前記筐体に回動自在に固定された第１蓋体と、該第１蓋体の上端部に下端部がスライド自在に取り付けられた第２蓋体と、から構成され、前記ディスク装置にディスクメディアが支持された際には、前記第２蓋体を上方にスライドさせることにより、前記蓋体で前記ディスクメディアを覆うことを可能とする。【選択図】図２
2008203038.tif 000002
【特許請求の範囲】
【請求項１】
ナビゲーション画面等を表示する表示パネルと、ナビゲーションを行うための制御プログラム及び地図データが記憶された内部記憶装置と、前記表示パネル及び前記内部記憶装置が収納された所定高さの筐体と、を備え、前記筐体の高さがディスクメディアの直径より低いナビゲーション装置において、
前記筐体内の裏面には前記ディスクメディアを垂直に立設した状態で支持するターンテーブルを具備したディスク装置を備え、該ディスク装置は前記筐体の裏面の下端部に回動自在に固定された蓋体によって覆われており、
前記蓋体は、前記筐体に回動自在に固定された第１蓋体と、該第１蓋体の上端部に下端部がスライド自在に取り付けられた第２蓋体と、から構成され、
前記ディスク装置に前記ディスクメディアが支持された際には、前記第２蓋体を上方にスライドさせることにより、前記蓋体で前記ディスクメディアを覆うことが可能であることを特徴とするナビゲーション装置。
【請求項２】
前記第２蓋体の他端部は、前記ターンテーブルに支持された前記ディスクメディアの端部を覆うように鉤状に屈曲していることを特徴とする請求項１に記載のナビゲーション装置。
【請求項３】
前記第１蓋体には上下方向に延在する溝が設けられ、前記第２蓋体の一端部近傍には前記溝内に移動自在に固定されたスライド部材が設けられ、前記溝の両端部及びその中間部には前記スライド部材の移動を規制する規制手段が設けられていることを特徴とする請求項１に記載のナビゲーション装置。
【発明の詳細な説明】
【技術分野】
【０００１】
本発明はナビゲーション装置に係り、特にディスクメディアを読み取るディスクドライブ装置を備えたナビゲーション装置において、その外形をディスクサイズより小さくすることを可能にしたナビゲーション装置に関するものである。
【背景技術】
【０００２】
従来より、車に搭載して映像や音声によって運転者に経路案内を行うナビゲーション装置が知られている。特に近年はテレビジョン放送の視聴や音楽ＣＤの再生、ＤＶＤの鑑賞なども一つのナビゲーション装置によって行うことが可能となっており、複合型メディア装置としてその需要はますます高まっている。
【０００３】
ナビゲーション装置に搭載されるディスクドライブ装置は、ディスク駆動機構等の小型化に伴って小型化が著しく進んでいる。しかしながら、依然としてディスクドライブ装置は使用する記録媒体としてのディスクメディアのサイズよりも大きいのが一般的である。
【０００４】
通常、ディスクドライブ装置においてディスクメディアは装置内部に設けられたディスク収納領域に収納された状態でデータの記録または再生が行われる。従って、ディスクドライブ装置はディスク全体を収納できる大きさのディスク収納領域を設ければならないという制約からディスクサイズを越える小型化が困難となっている。そのため、ディスクドライブ装置を縦型に内蔵することで薄型化を図ったナビゲーション装置についても、装置全体の高さはディスクサイズより低くすることができないという問題点があった。
【０００５】
この点、ディスクドライブ装置の小型化や信頼性および操作性の向上の要求に対処するために様々な構成が考えられている。例えば、下記特許文献１には使用時には十分なディスク収納領域を確保し、非使用時には使用する記録媒体ディスクの外径サイズに影響されず、筐体をコンパクトにすることができるようにして携帯性を高めたディスクドライブ装置が開示されている。このディスクドライブ装置によれば、筐体は固定部及び伸縮部によって構成され、伸縮部を固定部に対して伸縮するようにし、伸縮部が伸長することによって筐体内にディスク収納領域を確保している。筐体はディスク収納領域からディスクを出し入れするための蓋体を有し、この蓋体は伸縮部の伸長動作の完了後に開状態となることが示されている。
【特許文献１】特開２０００−１８７９７３号公報（段落［０００７］〜［０００９］、 HYPERLINK "http://www6.ipdl.ncipi.go.jp/Tokujitu/tjitemdrw.ipdl?N0000=234&N0500=4E#N/;%3e7%3e;8?%3e%3e///&N0001=34&N0552=9&N0553=000003" \t "tjitemdrw" 図１）
【発明の開示】
【発明が解決しようとする課題】
【０００６】
ところで、車のダッシュボード上に載置されるタイプの車載用ナビゲーション装置においては、ディスクメディアの高さを確保しようとすると運転者の視界を妨げるという問題があった。また、最近では車に搭載して使用するだけでなく携帯して持ち運べるタイプのナビゲーション装置も登場しており、その小型化は早急の課題である。
【０００７】
しかしながら、ナビゲーション装置の主機能である経路案内機能に関しては、地図データをＨＤＤ（ハードディスクドライブ）やフラッシュメモリなどの内部記憶装置に記憶して適宜読み出すようにすればよいが、その他音楽ＣＤや映画鑑賞用ＤＶＤの再生に関しては外部ディスクメディアを読み取らなければならず、ディスク読み取り部を設けることが必要になる。この点、ナビゲーション装置は視覚的方法をもってユーザに経路を案内するものであるため、液晶パネル等の表示部を備えることが不可欠であり、本体とディスプレイとが一体にされたナビゲーション装置の場合、ディスクドライブを設けられるのは液晶パネルが設けられた面の裏側に限定される。しかし、例えば上記特許文献１に開示された発明はディスクドライブを収納する筐体そのものが伸縮する構成であるから、本体に表示パネルを備えるナビゲーション装置にそのまま適用することは困難である。また伸縮部が駆動手段によって伸縮し、ディスクメディアを覆う蓋体とは別の部材として形成するものであるから、部品数が増加し、コストが高くなる問題もある。
【０００８】
本願の発明者らは上記問題点を解決するため種々検討を重ねた結果、ディスクを収納するときにのみ延伸させられるディスクカバーをナビゲーション装置の裏側に設けることで、通常は装置の小型化を図りつつ、ナビゲーション使用時には装置の高さを低くして運転手の視界を妨げることをなくし、ディスク再生時にはディスクを収納するに十分なスペースを確保できることに想到し、本願発明を完成するに至ったものである。
【０００９】
すなわち、本願発明は上記問題点を解決することを目的とし、ナビゲーション装置の高さをディスクサイズの高さよりも低く抑えつつ、比較的簡単な構成で、ディスクを収納する際にはそのスペースを確保する手段を備えたナビゲーション装置を提供することを目的とするものである。
【課題を解決するための手段】
【００１０】
上記目的を達成するために、本願の請求項１に係るナビゲーション装置の発明は、
ナビゲーション画面等を表示する表示パネルと、ナビゲーションを行うための制御プログラム及び地図データが記憶された内部記憶装置と、前記表示パネル及び前記内部記憶装置が収納された所定高さの筐体と、を備え、前記筐体の高さがディスクメディアの直径より低いナビゲーション装置において、
前記筐体内の裏面には前記ディスクメディアを垂直に立設した状態で支持するターンテーブルを具備したディスク装置を備え、該ディスク装置は前記筐体内の裏面の下端部に回動自在に固定された蓋体によって覆われており、
前記蓋体は、前記筐体に回動自在に固定された第１蓋体と、該第１蓋体の上端部に下端部がスライド自在に取り付けられた第２蓋体と、から構成され、
前記ディスク装置に前記ディスクメディアが支持された際には、前記第２蓋体を上方にスライドさせることにより、前記蓋体で前記ディスクメディアを覆うことが可能であることを特徴とする。
【００１１】
さらに請求項２に係る発明は、請求項１に係るナビゲーション装置において、前記第２蓋体の他端部は、前記ターンテーブルに支持された前記ディスクメディアの端部を覆うように鉤状に屈曲していることを特徴とする。
【００１２】
さらに請求項３に係る発明は、請求項１に係るナビゲーション装置において、前記第１蓋体には上下方向に延在する溝が設けられ、前記第２蓋体の一端部近傍には前記溝内に移動自在に固定されたスライド部材が設けられ、前記溝の両端部及びその中間部には前記スライド部材の移動を規制する規制手段が設けられていることを特徴とする。
【発明の効果】
【００１３】
本発明は上記構成を備えることにより、以下に示すような優れた効果を奏するものである。すなわち、本願の請求項１に係る発明によれば、ナビゲーション装置は筐体に回動自在に固定された蓋体を備え、該蓋体は回動自在に固定された第１蓋体と、該第１蓋体の上端部に下端部がスライド自在に取り付けられた第２蓋体とから構成されており、ディスク装置にディスクメディアを装着した後、第２蓋体を上方にスライドさせることにより、前記蓋体で前記ディスクメディアを覆うことが可能となる。このような構成を備えることで、ディスク未装着状態においては筐体の高さをディスクメディアの高さより低くすることができ、一方ディスクを装着するときには第２蓋体をスライドさせて延伸し、ディスクメディアを収納するために必要なスペースを確保することができる。
【００１４】
さらに、請求項２に係る発明によれば、第２蓋体の上端部はディスクメディアの端部を覆うように鉤状に屈曲しているから、ディスクメディアの端部及び情報記録面を完全にカバーすることができ、誤ってユーザが読み取り中のディスクメディアに接触して怪我をしたり、ディスクメディアを破損させたりというような危険を回避することができる。
【００１５】
さらに、請求項３に係る発明によれば、第２蓋体は第１蓋体の溝に沿ってスライドさせることができ、当該溝の両端部及びその中間部に規制手段が設けられる。したがって所望の位置に第２蓋体を係止することができ、ディスクや蓋体の破損を防ぐことができる。また、ユーザとしてもスライド位置を容易に決定することができる。
【発明を実施するための最良の形態】
【００１６】
以下、図面を参照して本発明の最良の実施形態を説明する。但し、以下に示す実施形態は、本発明の技術思想を具体化するためのナビゲーション装置を例示するものであって、本発明をこのナビゲーション装置に特定することを意図するものではなく、特許請求の範囲に含まれるその他の実施形態のものも等しく適応し得るものである。
【実施例１】
【００１７】
図１は実施例におけるナビゲーション装置の前方斜視図、図２は図１のＡ−Ａ線断面図である。ナビゲーション装置１０は筐体２１とその裏側に設けられた蓋体２２とを備えており、図２から明らかなように蓋体２２は筐体２１にヒンジ機構を介して回動自在に固定されて、蓋体２２の開閉が可能である。なお、図１及び図２では裏面の蓋体２２は閉じた状態となっている。筐体２１はその前面に液晶パネル等からなる表示部２５を備え、タッチパネルを用いることで操作手段としても機能する。さらに筐体２１の前面下部には複数の操作キーを備え、表示部２５の表示に従いナビゲーション装置を操作する。筐体２１の内部には制御板２６が設けられている。制御板２６にはＲＡＭ、ＲＯＭなどが搭載されており、これに記憶された制御プログラムによって全体の動作を制御する。なお、ナビゲーションプログラムや経路案内に用いられる地図データなどは、図示していないＨＤＤ又はフラッシュメモリなどの内部記憶装置に記憶され適宜読み出される。経路案内画像やディスクメディアから読み取った映像等は表示部２５に出力され、音声による経路案内はスピーカ（図示省略）に出力される。
【００１８】
この筐体２１には、さらに筐体２１と蓋体２２の中間に位置するようにターンテーブル２７が設けられている。ターンテーブル２７は蓋体２２を開いたときに筐体裏面に露出するように設けられており、支軸２９は筐体２１の高さＨの中心位置Ｍよりやや上方に位置している。これは蓋体２２を延伸することでディスクメディアの収納領域を確保する構成とし、装置全体の高さを低くしているため、ディスクメディア収納領域の中心位置が装置の中心位置からズレるためである。ＣＤやＤＶＤなどディスクメディアの中心孔はこのターンテーブル２７の支軸２９に嵌め込まれ、図示しないピックアップ装置によって記録面が走査されて情報が読み出される。読み出された情報は制御板２６を介して表示部２５に出力されて映像や音声が表示される。
【００１９】
蓋体２２は、第１蓋体２２Ａと第２蓋体２２Ｂとに分かれており、第１蓋体２２Ａは筐体２１にヒンジ機構を介して連結され、第２蓋体２２Ｂは第１蓋体２２Ａと所定のスライド機構によって連結されている。第１蓋体２２Ａはヒンジ機構との連結部から立設される厚肉部２２Ａ1と、略中央部付近に設けられた段部を介して厚肉部２２Ａ1と一体形成された薄肉部２２Ａ2とから形成されている。第２蓋体２２Ｂは第１蓋体２２Ａの薄肉部２２Ａ2と重なり合うようにして薄肉部２２Ｂ2が形成され、第１蓋体２２Ａの外壁上端にと右折するように設けられた段部を介して厚肉部２２Ｂ1が形成されている。第１蓋体２２Ａの薄肉部２２Ａ2と第２蓋体２２Ｂの薄肉部２２Ｂ2の両厚みを合わせると、第２蓋体２２Ｂの厚肉部２２Ｂ1の厚みとほぼ同じになるようになされている。第２蓋体２２Ｂの上端部は、筐体２１の高さ位置で内側に９０度折り曲げられて延設され、さらに垂下方向に９０度折り曲げられ、鉤状となっている。このように形成することでターンテーブル２７にディスクメディアが収容されたときに、ディスクメディアの上端及び記録面を覆うことができる。
【００２０】
図３は第１蓋体２２Ａと第２蓋体２２Ｂとの連結構造の一例を説明するための分解斜視図である。図３に示すように第２蓋体２２Ｂの薄肉部２２Ｂ2の外側面の下端部近傍には、左右一対の係合部材２３が互いに所定間隔をおいて外方に突出するようにして設けられている。係合部材２３は、薄肉部２２Ｂ2の外側面から外方に立設された柱状部２３Ａと、柱状部２３Ａの端部に垂直に設けられたフランジ２３Ｂとからなっている。フランジ２３Ｂは可撓性のある材質で形成された円板からなり、係合部材２３全体として鋲状になっている。
【００２１】
一方、第１蓋体２２Ａの薄肉部２２Ａ2には、係合部材２３がスライド自在に係合するスライド溝２４が形成されている。スライド溝２４は内側と外側とで幅の異なる溝を形成しており、小径溝２４Ａと小径溝２４Ａより幅広に形成された大径溝２４Ｂとに分かれている。小径溝２４Ａは第１蓋体２２Ａの内側面に開口し、溝の下端に若干幅広に形成されたホール部２４Ａhが形成されている。小径溝２４Ａの幅は係合部材２３の柱状部２３Ａがスライド移動しうる幅を有し、ホール部２４Ａhはフランジ２３Ｂを嵌め込むために十分な大きさで形成されている。
【００２２】
大径溝２４Ｂは小径溝２４Ａと外側の面に小径溝２４Ａに連通して開口しており、溝の上下端及び中間部にはやや幅広に形成された円形の規制部２４Ｃ1〜２４Ｃ3が形成されている。大径溝２４Ｂはその幅が係合部材２３のフランジ２３Ｂの直径よりやや小さく、規制部２４Ｃ1〜２４Ｃ3の直径はフランジ２３Ｂの直径より大きく形成されている。
【００２３】
第１蓋体２２Ａと第２蓋体２２Ｂとを薄肉部２２Ａ2、２２Ｂ2が向かい合うように重ね合わせると、係合部材２３のフランジ２３Ｂが小径溝２４Ａの下端に位置するホール部２４Ａhに当接し、フランジ２３Ｂは可撓性を有するために撓み変形してホール部２４Ａhを通り抜ける。ホール部２４Ａhを通り抜けたフランジ２３Ｂは元の形状に戻り、そのまま大径溝２４Ｂ下端の規制部２４Ｃ3に係合する。フランジ２３Ｂの直径は小径溝２４Ａの幅より大きいから、分離する方向に引張ってもフランジ２３Ｂの縁が衝突して容易に通り抜けできなくなるので、第１蓋体２２Ａと第２蓋体２２Ｂとが固定される。
【００２４】
フランジ２３Ｂは規制部２４Ｃ3に係合し、大径溝２４Ｂの幅はフランジ２３Ｂの直径よりやや小さく形成されているから、外力を加えない限り第２蓋体２２Ｂの縦方向の移動は規制される。ここで第２蓋体２２Ｂを例えば上方向に移動させようとすると、フランジ２３Ｂは僅かに撓み変形して大径溝２４Ｂに入り込み、同時に係合部材２３の柱状部２３Ａも小径溝２４Ａに沿ってスライドするように移動する。そのまま押し込まれるとフランジ２３Ｂは中間に位置する規制部２４Ｃ2に到達し、再び元の形状に戻って規制部２４Ｃ2に係合する。
【００２５】
このように係合部材２３とスライド溝２４とを用いることによって、蓋体２２のスライド延伸が可能となるとともに、スライド溝２４に規制部２４Ｃ1〜２４Ｃ3を設けることで所定位置以外の位置、例えば大径溝２４Ｂの規制部と規制部の中間で係止することを防止できる。
【００２６】
なお図３においてはスライド溝２４の大径溝２４Ｂは第１蓋体２２Ａの外壁表面に開口するようになされているが、内部に装着したディスクメディアを十分にカバーするためにも別の部材によって開口部分を覆うことが好ましい。または第１蓋体２２Ａを小径溝２４Ａが形成される第１層、大径溝２４Ｂが形成される第２層、これらを覆う外壁層というように多層構造になるように形成してもよい。
【００２７】
次に図４及び図５を参照してナビゲーション装置１０にディスクメディアを装着する操作手順について説明する。なお図４は蓋体を開いた状態の、図５はディスクメディアを装着した後蓋体を閉じた状態の図１におけるＡ−Ａ線断面図である。
【００２８】
ディスクメディア２８を装着するために、まず矢印ｘの方向に第２蓋体２２Ｂをスライド延伸させる。このとき、上述したとおり第１蓋体２２Ａのスライド溝２４にはスライド部材２３が係合する規制部２４Ｃ1〜２４Ｃ3が溝の上下端及び中間の３箇所において設けられ、スライド部材２３をいずれの規制部に係合させるかによって第２蓋体２２Ｂは３段階からその位置を決められる。ここでは上端に位置する規制部２４Ｃ1にスライド部材２３が係合するように第２蓋体２２Ｂをスライドさせる。
【００２９】
そしてヒンジ機構を矢印ｙの方向に回動させ、蓋体２２を開く。蓋体２２を開くと蓋体２２の内部に設けられたターンテーブル２７が露出し、ターンテーブル２７の支軸２９にディスクメディア２８を嵌め込むことができるようになるので、図４に示すようにしてディスクメディア２８をターンテーブル２７に固定する。
【００３０】
その後蓋体２２を閉じる手順に移り、ヒンジ機構を矢印ｙ方向に回動させる。最上端まで持ち上げられた第２蓋体２２Ｂの鉤状端部は、図４に破線で示したようにターンテーブル２７に装着されたディスクメディア２８に接触することなく、ディスク上方の位置に到達する。
【００３１】
そして図５に示すように、第２蓋体２２Ｂを矢印ｚの方向にスライドさせ、スライド部材２３をスライド溝２４の中間に位置する規制部２４Ｃ2に係合させる。この状態での蓋体２２の高さは筐体２０のそれよりも高くなり、ディスクメディア２８を収容するために必要な収納領域が確保されるとともにディスクメディア２８は蓋体２２によって完全に覆われた状態となる。上述のとおり第２蓋体２２Ｂはその上端が鉤状に屈曲されており、水平面及び垂下面とによってディスクメディア２８の上端及び裏面が囲われるから、ディスク端部及び記録面が露出することがない。したがって、ディスク読み取り中にユーザがディスクに接触してディスクを破損したりする危険を回避できるようになる。装着したディスクメディア２８を取り出すときは、以上に示した操作を逆の手順で行えばよい。
【００３２】
ナビゲーション装置１０を車載用ナビゲーション装置として使用する際は、ダッシュボードの上の特に運転手の前方に設置して使用する。ダッシュボード上は運転時に自然に運転者の視界に入る位置であり、フロントガラスの前面位置にナビゲーション装置が設置されると、ナビゲーション装置を設置していない状態に比べて運転者の視界は悪くなる。とくに、ディスクメディアを読み取るためのディスクドライブ装置を備えたナビゲーション装置はディスク使用領域を確保するため少なくともディスクメディアの直径１２ｃｍ以上の高さが必要になり、ダッシュボード上に１２ｃｍ以上の高さがあるものが載置されると、視界は極めて悪くなる。
【００３３】
この点、実施例におけるナビゲーション装置１０の高さＨは、ディスクメディアの直径より低くなされている。これは上述のとおり、ナビゲーション装置１０の裏面に備えたターンテーブル２７を覆う蓋体２２が延伸可能になされ、ディスクメディア２８を使用するときのみ蓋体２２を延伸できるようにしてディスクメディア２８の収容領域を確保しているためである。したがってディスクメディア２８を使用しない場合は、蓋体２２を収納でき、これにより装置の高さＨをディスクメディア２８の直径より低くして使用することができる。つまり、ディスクメディアを装着しない状態であれば、ナビゲーション装置全体を小さくすることができ、車のダッシュボード上に設置して運転の際のナビゲーション端末として使用する際に装置の高さが低くなり前方の視界が良好になる。また、ディスクメディアを装着しない限りは筐体２１の大きさはディスクメディアの大きさにとらわれることなく、例えば表示部２５の大きさや形状に合わせることができる。ディスクサイズにとらわれることなくデザインを決定できるという点で極めて有用である。
【００３４】
なお上記の例では手動によって蓋体２２の開閉及び延伸を行う例を説明したが、これらを自動制御で行うようになしてもよい。以下図を参照しつつ説明する。図６は実施例１の他の構成例を示す図である。
【００３５】
まず第１蓋体２２Ａと第２蓋体２２Ｂとを、制御板２６の制御によって駆動するモータにより自動的に延伸動作を行うようにする。この場合第１蓋体２２Ａにピニオンギアを、第２蓋体２２Ｂにラックを設け、ピニオンギアを第１蓋体２２Ａの下部に設置したモータによって駆動して第２蓋体２２Ｂのスライド移動及びその位置決めを行う。またヒンジ機構の回動動作についてもモータにより行うようにし、図示しない開閉ボタンを押下することで蓋体２２を開閉するよう構成する。
【００３６】
さらに、図６に示すように第２蓋体２２Ｂの鉤状端部の内側に赤外線センサ３０を設け、３０Ａが赤外線信号を発信しこれを３０Ｂが受信するようにする。すると図６に示すように鉤状端部内にディスクメディア２８が収納されると、３０Ａが発信した赤外線信号はディスクメディア２８によって遮断されて３０Ｂに到達せず、赤外線センサ３０がＯＦＦの制御信号を出力する。
【００３７】
ディスク未装着の状態で、かつ蓋体２２が閉じた状態から開閉ボタンを押下すると、まず第２蓋体２２Ｂが最上端に位置するまでスライド延伸され、最上端まで延伸されたのちヒンジ機構が回動されて蓋体２２が開状態に到る。このようになせばディスクメディア２８の装着・未装着に関わらずディスクメディア２８に衝突することなく安全に蓋体２２を開くことができる。そして蓋体２２が開いた状態から開閉ボタンを押下すると、第２蓋体２２Ｂは常に最上端に位置するまで延伸され、その後ヒンジ機構を内側に回動させるようにする。ディスクメディア２８の上方に到達した第２蓋体２２Ｂはそこからスライド下降するが、ディスクメディア２８が装着されている場合第２蓋体２２Ｂが下降する途中で赤外線センサ３０が上記のようにしてディスクメディア２８の存在を検知し、ＯＦＦの制御信号を出力する。制御板２６はＯＦＦの制御信号が出力されるとスライド機構に設けたモータを停止させ、これと同時に制御板２６はヒンジ機構の回動を規制して蓋体２２の開閉をロックする。
【００３８】
図５に示すような状態、すなわちディスクメディア２８が装着され、スライド部材２３Ｂが中間に位置する規制部２４Ｃ2に係合している状態からヒンジ機構を回動させて蓋体２２を開くと、第２蓋体２２Ｂの鉤状端部がディスクメディア２８の端部に引っ掛かり、ディスクメディア２８を破損する危険性があるが、上記のとおりディスクメディア２８が収納されているときは赤外線センサ３０がＯＦＦの制御信号を出力して蓋体２２がロックされるため、このような危険を回避することが可能となる。また赤外線センサ３０がディスクメディア２８を検知した段階でスライド下降を停止するため、上記の規制部２４Ｃ2のようにスライド機構の中間位置で係止させるための規制手段を設ける必要がなくなる。
【００３９】
なお上記の例では開く動作を行うときは常に第２蓋体２２Ｂを最上端まで延伸するようにしたが、ディスクメディアが装着されていない場合には蓋体２２を延伸させずにそのまま開いても問題はないので、赤外線センサから検知信号が出力されているときのみ第２蓋体２２Ｂを延伸するように構成してもよい。
【産業上の利用可能性】
【００４０】
上記の発明によれば、ディスクサイズにこだわらないデザインが可能になり、さらには装置の高さを低く抑えることができるから、車のダッシュボード上に設置したときであっても前方の視野を妨げることがないナビゲーション装置を提供することができる。
【図面の簡単な説明】
【００４１】
【図１】実施例におけるナビゲーション装置の前方斜視図である。
【図２】ディスク未装着状態の図１におけるＡ−Ａ線断面図である。
【図３】スライド機構を説明するための分解斜視図である。
【図４】蓋体を開いた状態の図１におけるＡ−Ａ線断面図である。
【図５】ディスク装着状態の図１におけるＡ−Ａ線断面図である。
【図６】実施例１の他の構成例を示す図である。
【符号の説明】
【００４２】
１０      ナビゲーション装置
２１      筐体
２２      蓋体
２２Ａ    第１蓋体
２２Ｂ    第２蓋体
２３      スライド部材
２４      スライド溝
２４Ｃ1〜２４Ｃ3  規制手段
２５      表示部
２６      制御板
２７      ターンテーブル
２８      ディスクメディア
２９      支軸
３０      赤外線センサ
【図１】
2008203038.tif 000003
【図２】
2008203038.tif 000004
【図３】
2008203038.tif 000005
【図４】
2008203038.tif 000006
【図５】
2008203038.tif 000007
【図６】
2008203038.tif 000008